(57)【要約】【課題】地盤の土質により掘削刃を交換することができ、目的に応じた回転圧入鋼管杭を製作できると共に、平板スパイラルを２枚以上設けることにより、確実に地盤に食い込み、かつ引き抜き強度が大きく、耐震性も向上させてなり、よって従来に比べ回転圧入鋼管杭の径を小さくできる回転圧入鋼管杭を提供する。【解決手段】鋼管杭の先端部に、スパイラル板の先端に掘削刃を複数設けてなる平板スパイラルを２枚以上設けてなる。【選択図】　図１
2004084449.tif 000002
【特許請求の範囲】
【請求項１】
鋼管杭の先端部に、スパイラル板の先端に掘削刃を複数設けてなる平板スパイラルを２枚以上設けてなることを特徴とする回転圧入鋼管杭。
【請求項２】
掘削刃をスパイラル板に着脱自在に設けるべく取付部を設けてなることを特徴とする請求項１記載の回転圧入鋼管杭。
【請求項３】
スパイラル板の幅は、先端より後端の方が狭いことを特徴とする請求項１又は２記載の回転圧入鋼管杭。
【請求項４】
スパイラル板の中心線付近に、先端部よりやや下方位置より後端に貫通する固着溝を設けてなることを特徴とする請求項１、２又は３記載の回転圧入鋼管杭。
【請求項５】
スパイラル板を中心線付近で２分割してなることを特徴とする請求項１、２又は３記載の回転圧入鋼管杭。
【請求項６】
平板スパイラルが２枚の場合、一方の平板スパイラルの先端部と他方の平板スパイラルの先端部を中心角約１８０°の位置に設けてなることを特徴とする請求項１、２、３、４又は５記載の回転圧入鋼管杭。
【請求項７】
平板スパイラルが２枚の場合、一方の平板スパイラルの後端部と他方の平板スパイラルの後端部を中心角約１８０°の位置に設けてなることを特徴とする請求項１、２、３、４、５又は６記載の回転圧入鋼管杭。
【請求項８】
平板スパイラルが３枚の場合、各平板スパイラルの先端部の角度が、中心角約１２０°の位置に設けてなることを特徴とする請求項１、２、３、４又は５記載の回転圧入鋼管杭。
【請求項９】
平板スパイラルが３枚の場合、各平板スパイラルの後端部の角度が、中心角約１２０°の位置に設けてなることを特徴とする請求項１、２、３、４、５又は８記載の回転圧入鋼管杭。
【請求項１０】
鋼管杭の先端面付近に、２個以上の垂直掘削刃を突設してなることを特徴とする請求項１、２、３、４、５、６、７、８又は９記載の回転圧入鋼管杭。
【発明の詳細な説明】
【０００１】
【発明の属する技術分野】
本発明は、鋼管杭埋設に用いる回転圧入鋼管杭に関するものである。
【０００２】
【従来の技術】
従来の技術としては、特開２００１−１９３０６３号公報記載のような、先端に螺旋状羽根を備え、地中に回転圧入される羽根付き鋼管杭において、鋼管外径の略１．５〜３倍の外径で、鋼管杭内径の略０．４〜０．９倍の内径としたドーナツ状鋼板を一箇所又は複数箇所切断し、螺旋状に切断した鋼管杭端部に同心円状に溶接固定し、鋼管杭先端部の内外に螺旋状羽根を張り出してなる形状に構成することを特徴とする回転圧入鋼管杭が開示されている。
【０００３】
しかしながら、上記のような形態では、螺旋状羽根の先端に掘削刃を溶接して取り付けなければならない。
つまり、溶接がうまく行われない場合は、掘削時において途中で掘削刃が外れてしまうことがあり、鋼管杭を埋設できないことがある。（溶接技術を必要とする。）
また、ドーナツ状鋼板を切断し、螺旋状羽根を張り出してなる形態であるため、地盤が軟らかい場合には問題ないが、地盤が硬い場所では使用しにくいのが現状である。
さらに、地盤に転石や障害物があると鋼管杭を埋設する時、土質が乱れ、鋼管杭の周囲摩擦が軽減する。
つまり、地盤との密着性が弱く、所望の強度を得ることができない。
【０００４】
【発明が解決しようとする課題】
本発明は、上記の問題点に鑑みなされたもので、その目的は、地盤の土質により掘削刃を交換することができ、目的に応じた回転圧入鋼管杭を製作できると共に、平板スパイラルを２枚以上設けることにより、確実に地盤に食い込み、かつ引き抜き強度が大きく、耐震性も向上させてなり、よって従来に比べ回転圧入鋼管杭の径を小さくできる回転圧入鋼管杭を提供するものである。
【０００５】
【課題を解決するための手段】
課題を解決するための手段として、鋼管杭の先端部に、スパイラル板の先端に掘削刃を複数設けてなる平板スパイラルを２枚以上設けてなること。また、掘削刃をスパイラル板に着脱自在に設けるべく取付部を設けてなること。スパイラル板の幅は、先端より後端の方が狭いこと。スパイラル板の中心線付近に、先端部よりやや下方位置より後端に貫通する固着溝を設けてなること。スパイラル板を中心線付近で２分割してなること。さらに、平板スパイラルが２枚の場合、一方の平板スパイラルの先端部と他方の平板スパイラルの先端部を中心角約１８０°の位置に設けてなること。平板スパイラルが２枚の場合、一方の平板スパイラルの後端部と他方の平板スパイラルの後端部を中心角約１８０°の位置に設けてなること。さらにまた、平板スパイラルが３枚の場合、各平板スパイラルの先端部の角度が、中心角約１２０°の位置に設けてなること。平板スパイラルが３枚の場合、各平板スパイラルの後端部の角度が、中心角約１２０°の位置に設けてなること。その上、鋼管杭の先端面付近に、２個以上の垂直掘削刃を突設してなることを特徴とする。
【０００６】
【発明の実施の形態】
以下、本発明による回転圧入鋼管杭を図面に基づいて詳細に説明する。
回転圧入鋼管杭１は、鋼管杭２の先端部外周に、同じ幅を有する（先端より後端の方が幅が狭いものでもよい）スパイラル板３ａの先端に、複数（この実施例の場合３本）の掘削刃３ｂを着脱自在に設けてなる平板スパイラル３をスパイラル状に溶接にて固設してなるものである。
なお、一方の平板スパイラル３の先端部３ａ１と他方の平板スパイラル３の先端部３ａ１を、中心角Ｋ１８０°の位置に設けてなるのが望ましい。
また、一方の平板スパイラル３の後端部３ａ２と他方の平板スパイラル３の後端部３ａ２を中心角Ｋｉ１８０°の位置に設けてなるのが望ましい。（平板スパイラル３の長さを鋼管杭の外周の３分の２とする。）
さらに、掘削刃３ｂはロッキングピン挿入孔３ｂ１を設け、ロッキングピン（図示せず）にて着脱自在にスパイラル板３ａに固定してなるものであるが、ボルト・ナット（図示せず）にて固定してもよい。
なお、スパイラル板３ａの先端には掘削刃３ｂに対応する溝３ｃを設けてあるが、スパイラル板の板厚が薄い場合は設けなくてもよい。
【０００７】
つぎに、第２実施例の回転圧入鋼管杭について説明する。
回転圧入鋼管杭２１に使用するスパイラル板２３ａは、中心線付近に先端部よりやや下方位置より後端に貫通する半円弧状の固着溝２３ｃを設けてなるもので、平板スパイラル２３は、掘削刃２３ｂを４本設けてなるものである。
この回転圧入鋼管杭２１は、鋼管杭２２の先端部外周に、平板スパイラル２３を先端部（後端部）の角度を中心角ＫＳ１２０°の位置に設けるべく、スパイラル板２３ａの固着溝２３ｃを差し込みスパイラル状に溶接にて固設してなるものである。
【０００８】
つぎに、第３実施例の回転圧入鋼管杭について説明する。
回転圧入鋼管杭３１は、スパイラル板３３ａを中心線付近で２分割し、外スパイラル板３３ａ１と内スパイラル板３３ａ２にて構成されるもので、それぞれの先端部に２本の掘削刃３３ｂを設けてある。
この回転圧入鋼管杭３１は、外スパイラル板３３ａ１を鋼管杭３２の外周に、内スパイラル板３３ａ２を鋼管杭３２の内周に、それぞれスパイラル状に溶接して固設してある。
なお、各スパイラル板の取り付けピッチは同じでもよいが、外スパイラル板３３ａ１のピッチと、内スパイラル板３３ａ２のピッチを異なるように形成してもよい。
【０００９】
つぎに、第４実施例の回転圧入鋼管杭について説明する。
回転圧入鋼管杭４１は、鋼管杭４２の先端面付近に、相対向する２個の垂直掘削刃４を突設してなるものである。
【００１０】
上記各回転圧入鋼管杭は、特に掘削刃を必要に応じて取り替えることができるため、軟らかい土質でも硬い土質でも問題なく使用できる。
また、平板スパイラルを２枚以上設けることにより、確実に地盤に食い込み、掘削作業を容易にしてなるものである。（平板スパイラルを４枚設けるのも一考である。）
さらに、回転圧入鋼管杭は、垂直掘削刃を付加することにより、より一層作業性を向上してなるものである。
【００１１】
なお、上記各実施例において、掘削刃及び垂直掘削刃の数や材質は必要に応じて設定すればよい。
また、鋼管杭の径及びスパイラル板の幅寸法は、地盤の硬さによって種々揃える必要があり、特に限定しない。
さらに、回転圧入鋼管杭は右回転でも、左回転でも使用できるよう仕様に合わせて加工できるものとする。
【００１２】
【発明の効果】
以上の如く、本発明の回転圧入鋼管杭によれば、以下に示す効果を有するものである。
１）、平板スパイラルを２枚以上設けることにより、確実に地盤に食い込み、掘
削作業を容易にしてなる。２）、掘削刃をスパイラル板に着脱自在に取り付けることにより、軟らかい土質でも硬い土質でも掘削刃を交換することにより対応できる。
３）、スパイラル板の幅を先端より後端の方を狭くすることにより、掘削性を向上させてなる。
４）、スパイラル板に固着溝を設けることにより、鋼管杭により確実に固設できると共に、引き抜き強度が大きく、耐震性も向上させてなる。
５）、スパイラル板を外スパイラル板と内スパイラル板に分割して使用することにより、より一層掘削性を向上させると共に、外スパイラル板と内スパイラル板のピッチを変更することにより、土質に合わせ、より細かな回転圧入鋼管杭を提案できる。
６）、平板スパイラルの先端部を中心角約１２０°、約１８０°に設定することにより、効率よく掘削できる。
７）、平板スパイラルの後端部を中心角約１２０°、約１８０°に設定することにより、バランスよく、かつ引き抜き強度が大きく、地盤との密着性も高い。
８）、垂直掘削刃を付設することにより、より一層速く確実に掘削できる。
【図面の簡単な説明】
【図１】本発明の回転圧入鋼管杭の第１実施例を示す要部の正面図。
【図２】本発明の回転圧入鋼管杭の第１実施例を示す要部の底面図。
【図３】本発明の回転圧入鋼管杭の第１実施例を示す掘削刃の斜視図。
【図４】本発明の回転圧入鋼管杭の第２実施例を示す平板スパイラルの平面図。
【図５】本発明の回転圧入鋼管杭の第２実施例を示す底面図。
【図６】本発明の回転圧入鋼管杭の第３実施例を示す平板スパイラルの平面図。
【図７】本発明の回転圧入鋼管杭の第３実施例を示す底面図。
【図８】本発明の回転圧入鋼管杭の第４実施例を示す要部の正面図。
【図９】本発明の回転圧入鋼管杭の第４実施例を示す要部の底面図。
【符号の説明】
１−−−回転圧入鋼管杭
２−−−鋼管杭
３−−−平板スパイラル
３ａ−−スパイラル板
３ｂ−−掘削刃
【図１】
2004084449.tif 000003
【図２】
2004084449.tif 000004
【図３】
2004084449.tif 000005
【図４】
2004084449.tif 000006
【図５】
2004084449.tif 000007
【図６】
2004084449.tif 000008
【図７】
2004084449.tif 000009
【図８】
2004084449.tif 000010
【図９】
2004084449.tif 000011